(57)【特許請求の範囲】
【請求項１】
無線周波（ＲＦ）送信チャンネルでなるネットワークを介して出力ストリームを表示装置に提供する装置であって、
前記ネットワークを介して前記表示装置から受信した制御情報に応じて、前記表示装置にテレビ番組を提供する複数の番組ソースのいずれかから選択したビデオ情報を受信するよう構成された入力手段であって、前記制御情報が、前記表示装置において視聴者から受け付けた入力に基づいて、複数の番組ソースから取得可能なビデオ情報から選択したビデオ情報を特定する、前記入力手段と、
前記選択したビデオ情報を複数のサブバンドに符号化して処理済みストリームを生成し、前記ネットワークの現在の特性を示すネットワークフィードバック情報を受信し、かつ、該ネットワークフィードバック情報に示される前記ネットワークの現在の特性に基づき前記受信したビデオ情報の符号化を適応させるよう構成された処理ユニットと、ここで、前記複数のサブバンドの各々は、前記ビデオ情報のビデオフレームを異なる解像度で表し、前記ネットワークフィードバック情報は、前記ＲＦ送信チャンネルについての情報を備えており、前記処理ユニットは、前記ＲＦ送信チャンネルについての情報に基づいて各サブバンド毎にサブバンド符号化のエラー回復力を調整することにより、前記処理済みストリームを生成するための前記符号化を適応させるように構成され、前記エラー回復力は、前記ＲＦ送信チャンネルについての前記情報に基づいて前記処理済みストリームに付加される前方誤り訂正（ＦＥＣ）ビットの数を変更することにより調整され、各ビデオフレームの最小解像度のサブバンドは、より低い解像度のサブバンドがより高い解像度のサブバンドよりも多くのＦＥＣビットを持つように、該ビデオフレームの解像度の高い方のサブバンドよりもＦＥＣ冗長ビット数を増すように構成されており、
前記処理済みストリームを操作して出力ストリームを生成するよう構成された通信ユニットと、
前記ネットワークを介して前記表示装置に前記出力ストリームを送信するよう構成された無線送信器と
を具備する装置。
【請求項２】
前記処理済みストリームは、前記選択したビデオ情報と、第２番組ソースから受信した番組情報との両方を統合する合成ビデオストリームである、請求項１の装置。
【請求項３】
前記処理済みストリームは、前記選択したビデオ情報と、第２番組ソースから受信した番組ガイド情報とを合成する、請求項１の装置。
【請求項４】
前記出力ストリームは、前記ビデオ情報のウエーブレット変換からなる、請求項１の装置。
【請求項５】
前記番組ソースはパーソナルコンピュータである、請求項１の装置。
【請求項６】
前記送信器がＩＥＥＥ８０２．１１プロトコルを利用する、請求項１の装置。
【請求項７】
少なくとも1つの無線周波（ＲＦ）送信チャンネルを持つ無線ネットワークを介して番組ソースから情報を見るためのシステムであって、
前記無線ネットワークを介して選択したビデオ番組を特定する制御情報を受信し、前記制御情報に応じてそれぞれが基地ステーションにテレビ番組を提供する複数の番組ソースの一つを選択し、前記無線ネットワークを監視して該ネットワークの現在の特性として前記ＲＦ送信チャンネルについての情報を示すネットワークフィードバック情報を生成し、前記選択した番組ソースから前記選択したビデオ情報を取得し、前記選択したビデオ情報を符号化して複数のサブバンドを持つ処理済みビットストリームを生成し、前記ネットワークフィードバック情報に示される前記ネットワークの現在の特性としての前記ＲＦ送信チャンネルについての前記情報に基づき各サブバンド毎にサブバンド符号化のエラー回復力を調整することにより、前記受信したビデオ情報の符号化を適応させ、前記処理済みビットストリームにネットワーク処理手順を実行して送信器準備完了ストリームを生成し、該送信器準備完了ストリームを前記無線ネットワーク上に送信するように構成された基地ステーションと、ここで、前記複数のサブバンドの各々は、前記ビデオ情報のビデオフレームを異なる解像度で表し、前記エラー回復力は、前記ＲＦ送信チャンネルについての前記情報に基づいて前記処理済みストリームに付加される前方誤り訂正（ＦＥＣ）ビットの数を変更することにより調整され、各ビデオフレームの最小解像度のサブバンドは、より低い解像度のサブバンドがより高い解像度のサブバンドよりも多くのＦＥＣビットを持つように、該ビデオフレームの解像度の高い方のサブバンドよりもＦＥＣ冗長ビット数を増すように構成されており、
ディスプレイを有するとともに、前記選択したビデオ番組の視聴者選択を受け付け、前記選択したビデオ番組を特定する前記制御情報を前記ネットワークを介して前記基地ステーションに送信し、前記基地ステーションから前記ネットワーク介して前記送信器準備完了ストリームを受信し、前記送信器準備完了ストリームを復号化して前記ディスプレイで表示するための復号化情報を生成するように構成された受信装置と
を具備するシステム。
【請求項８】
前記処理済みビットストリームが、３Ｄウエーブレット変換データの仕様に従う、請求項７のシステム。
【請求項９】
更に、前記受信装置は、前記ネットワーク上で前記送信器準備完了ストリームの送信中に失われたデータにより発生する欠点を隠蔽するように構成されている、請求項７のシステム。
【請求項１０】
表示装置で表示するために、少なくとも1つの無線周波（ＲＦ）送信チャンネルを持つ無線ネットワークを介して該表示装置から、視聴者により選択されたビデオ情報を特定する制御情報を受信するステップと、
前記制御情報に応じて、テレビ番組を提供する番組ソースから前記視聴者によって選択されたビデオ情報を取得するステップと、
前記受信したビデオ情報を符号化して、複数のサブバンドを持つ処理済みストリームを生成するステップであって、前記複数のサブバンドの各々は、前記ビデオ情報のビデオフレームを異なる解像度で表している前記ステップと、
ネットワークフィードバック情報に基づき前記処理済みストリームを生成するため前記符号化を調整するステップであって、前記ネットワークフィードバック情報は前記ＲＦ送信チャンネルの品質についての情報を備えており、該ＲＦ送信チャンネルの品質についての前記情報に基づいて各サブバンド毎にサブバンド符号化のエラー回復力を調整することにより、前記符号化を調整するように構成され、前記エラー回復力は、前記ＲＦ送信チャンネルについての前記情報に基づいて前記処理済みストリームに各サブバンド毎に付加される前方誤り訂正（ＦＥＣ）ビットの数を変更することにより調整され、エラー調整量をサブバンド間で異ならせて、各ビデオフレームの最小解像度のサブバンドが、該ビデオフレームの解像度の高い方のサブバンドよりもＦＥＣ冗長ビット数を増すように構成された前記ステップと、
前記処理済みストリームを処理して送信器準備完了ストリームを生成するステップと、
前記送信器準備完了ストリームを前記ネットワークに送信するステップと
を具備する方法。
【請求項１１】
前記無線ネットワークのチャンネルエラー特性を監視して、それにより前記ＲＦ送信チャンネルについての情報を備える前記ネットワークフィードバック情報を生成するステップを更に具備する、請求項１０の方法。
【請求項１２】
ネットワークを介して通信するディスプレイシステムの視聴者により選択された番組情報を処理するように構成された基地ステーションであって、
前記基地ステーションにテレビ番組を提供する複数の番組ソースのそれぞれに接続され、前記ディスプレイシステムから前記ネットワークを介して前記基地ステーションで受信した制御情報に応じて、前記複数の番組ソースの一つから前記視聴者により選択された番組情報を受信するように構成された切換器であって、該切換器に前記テレビ番組を提供するために、前記各番組ソースが前記基地ステーションによって制御可能である、前記切換器と、
アナログフォーマットの前記選択した番組情報を受信し、該番組情報をデジタルフォーマットに変換するように構成されたアナログ−デジタル変換器と、
前記デジタルフォーマットの番組情報を受信し、ネットワークの現在の特性を示すネットワークフィードバック情報を受信し、前記番組情報を符号化して複数のサブバンドを持つ処理済みストリームを生成し、前記ネットワークフィードバック情報で示される前記ネットワークの特性に基づき前記番組情報の符号化を適応させるように構成されたサブシステムプロセッサであって、前記ネットワークフィードバック情報に基づいて各サブバンド毎にサブバンド符号化のエラー回復力を調整することにより、前記処理済みストリームを生成するための前記符号化を適応させるように構成された前記サブシステムプロセッサと、ここで、前記複数のサブバンドの各々は、前記番組情報のビデオフレームを異なる解像度で表し、前記エラー回復力は、前記ネットワークフィードバック情報に基づいて前記処理済みストリームに各サブバンド毎に付加される前方誤り訂正（ＦＥＣ）ビットの数を変更することにより調整され、エラー調整量をサブバンド間で異ならせて、各ビデオフレームの最小解像度のサブバンドが、該ビデオフレームの解像度の高い方のサブバンドよりもＦＥＣ冗長ビット数を増すように構成されており、
前記サブシステムプロセッサに接続され、前記処理済みストリームを操作して送信のための出力ストリームを生成するように構成された通信プロセッサと、
前記ネットワークを介してディスプレイシステムに前記出力ストリームを送信するように構成されたネットワークインターフェースと
を具備する基地ステーション。
【発明の詳細な説明】
【技術分野】
【０００１】
本発明は、一般に、強化されたテレビジョンシステムに関し、より詳細には、マルチルームテレビジョンシステムを効果的に実施するための方法に関する。
【０００２】
関連出願の相互参照
本出願は、２００１年３月１５日出願の、米国特許出願第０９／８０９，８６８号、発明の名称「無線テレビジョンシステムを効果的に実施するための装置および方法」、の一部継続出願であり、その優先権を主張する。同様に本出願は、１９９９年５月２６日出願の米国特許出願第０９／８０９，８６８号を経て、２００１年７月１７日付けで発行された米国特許第６，２６３，５０３ Ｂ１号、発明の名称「無線テレビジョンシステムを効果的に実施するための方法」、の優先権を主張する。上記関連出願および関連特許は、同一出願人によるものであり、引用して本明細書に組み込む。
【背景技術】
【０００３】
強化されたテレビジョンシステムを実施するための効果的方法を開発することは、現在のテレビジョンシステムの設計者およびメーカーにとって意義のある考慮事項である。従来のテレビジョンシステムでは、表示装置を利用して、番組ソースから受信する番組情報を見ることができる。この従来の表示装置は、固定した場所に設置されるのが普通であり、その理由は、表示装置を利用可能なすべての入力装置へ電気的に結合する、各種物理的接続により制約を受けるからである。表示器の大きさや重量等、他の項目も従来のテレビジョンシステムにおいては視聴者の運動性を著しく制限する。
【０００４】
携帯型テレビ受像機は、適切な視聴場所を選定した場合、視聴者に柔軟性が与えられて有利である。例えば、家庭環境では、様々な遠隔場所に携帯型テレビを簡単に設置し直して番組を視聴することができる。従って、固定した表示装置から離れた場所で他の仕事をしながらでも、ユーザはテレビ番組を好きなように視聴できる。
【０００５】
しかし、携帯型テレビジョンシステムには操作性が悪いという特徴があり、通常、最新テレビジョンシステムの使用効果が低下してしまう。例えば、物理的接続の制約を受けないように、携帯型テレビは、遠隔地上波テレビ送信局から、携帯型テレビに組み込まれたアンテナまで伝搬されるテレビ信号を受信するのが典型的である。携帯型アンテナに関係するサイズや位置が制約を受けるので、このような携帯型テレビはかなり貧弱な受信特性しか示さないのが普通であり、送信されたテレビ信号の表示品質が不十分なことが多い。
【０００６】
さらに、潜在的番組ソース（ライブ放送およびデジタル記録放送ともに）の数が著しく増加しているので、多数の番組内容を選択視聴できるように提供することにより、システムユーザに利便性を与えることができる。家庭内の二部屋以上にテレビがある家庭では、各テレビに必要となるのは、全番組ソースからのテレビ番組受信に必須なハードウエアあるいは受信ハードウエアを共有する方法、のどちらかである。
【０００７】
しかし、システムの複雑さが実質的に増加するので、テレビジョンシステムには、各種システムコンポーネントや機能の、操作や相互作用を効果的に管理するための追加リソースが必要になる。従って、上記理由により、強化されたテレビジョンシステムを実施するための効果的方法を開発することは、現在テレビジョンシステムの設計者およびメーカーにとって依然として意義のある課題である。
【発明の開示】
【０００８】
本発明に基づいて、マルチルームテレビジョンシステムを効果的に実施するための方法を開示する。一実施の形態では、最初に、マルチルームテレビジョンシステムは、このマルチルームテレビジョンシステムにおける異なる部屋または場所にいる別々のユーザのために、番組ソースを選択するデジタル基地ステーションに一つ以上の番組ソースを提供する。
【０００９】
選択された番組ソースが、要求されるビデオデータを含み、番組ガイド情報をオーバーレイ表示することも、その情報を含めることも必要としない場合、デジタル基地ステーションは、メディア入力サブシステムを利用して、番組ソースビデオデータを適切なフォーマットへフォーマット変換し、フォーマット変換したデータを処理して、処理済みデータを生成し（例えば、コード変換または符号化により）、出力ストリームプロセッサが使用するための処理済み番組情報を提供する。
【００１０】
選択された番組ソースが、番組ガイド情報をオーバーレイ表示するか、それを含めるのを要求する場合、メディア入力サブシステムは、最初に、番組ソースの合成に適したフォーマットへ、番組ソースビデオをフォーマット変換することになる。圧縮ビデオデータに対しては、このフォーマット変換は、ビデオデータの完全なまたは部分的な復号化を含むことになる。次いで、メディア入力サブシステムは、オーバーレイ合成、クロマキー合成、および２次元グラフィック操作のどれかの合成法を用いて、適切な番組ガイド情報を利用することにより、フォーマット変換した番組ソースビデオ情報を合成して、新規の合成ビデオストリームを生成する。次いで、メディア入力サブシステムは、合成ビデオストリームを処理し、処理済み番組情報を出力ストリームプロセッサへ提供する。
【００１１】
次に、出力ストリームプロセッサは、処理したオーディオ、ビデオ、およびデータを、処理済みストリームへ合成する。次いで、通信プロセッサが処理済みストリームを受信し、それに応じてネットワーク処理手順を実行して、有線または無線のネットワークインターフェースに向けて送信器準備完了ストリームを生成する。有線ネットワークでは、送信器準備完了ストリームは適切なＬＡＮへ提供されるか、または所望の宛先へ送信するための他の有線インターフェース装置へ提供される。無線通信では、送信器装置が送信器準備完了ストリームを受信し、変調し、そして無線ネットワーク送信処理を実行して、リモートＴＶ（離れた場所に置かれたテレビ）、遠隔操作装置（リモコン）、補助基地ステーション、または任意の他の互換受像機付き装置へ放送ストリームを伝搬させる。
【００１２】
通信プロセッサは、各種の有線および無線のネットワーク接続からメディア入力サブシステムまでのネットワーク情報をフィードバックできる。メディア入力サブシステムは、ビデオデータのフォーマットおよび処理を行うためにネットワークフィードバック情報を用いる。符号化およびコード変換処理は、ネットワークフィードバック情報を理解し、利用することにより、さらに効果的に実行できる。さらに、符号化ステップは、送信器準備完了ストリームを送信チャンネルのチャンネル特性に合わせて準備するために、前方誤り訂正と組み合わせることができる。通信プロセッサは、処理済みストリームの様々な要素に対して、どのネットワークプロトコル形式を用いるかの選定に際して、さらに最適化することができる。
【００１３】
一つ以上のリモートＴＶ（または他の互換性ある受像機付き装置）が、デジタル基地ステーションから送信ストリームを受信できる。次いで、リモートＴＶの入力サブシステムが、ネットワーク処理手順を実行して、受信ストリームを生成できる。送信信号のオーディオ、ビデオ、およびデータの部分を分離するために、デマルチプレクサ（逆多重化器）が、オーディオおよびデータのストリームを送信信号から分離し、ビデオ処理に沿って他のブロックの内の一つへ渡しながら、データおよびオーディオの処理を実行する。リモートＴＶは、ＭＰＥＧ２、ＭＰＥＧ４、ＶＣ１、Ｈ．２６４、ベクトル量子化、ウエーブレット変換、３Ｄウエーブレット変換、または別の形式の圧縮法を含む一つ以上の異なる圧縮フォーマットを復号化できる復号器はもとより、ＭＰＥＧ２高精細度テレビ（ＨＤＴＶ）用のＡＴＳＣ復号器を含む多様なビデオ復号器を含む。
【００１４】
従って、少なくとも上記の理由に対して、本発明は、多様な異種コンポーネントを利用して、最適システムの相互操作および機能性を支援する柔軟性のあるマルチルームテレビジョンシステムを効果的に実施する。従って、本発明は、強化型マルチルームテレビジョンシステムを効果的かつ効果的に実施する。
【発明を実施するための最良の形態】
【００１５】
本発明は、テレビジョンシステムの改良に関する。以下の説明は、当該技術に普通に精通した者が本発明を実行し使用できるように提示し、特許出願およびその要件の文脈で提供する。好適な実施の形態への多様な改変が、当該技術に精通する者には直ちに明らかになり、ここに記載する基本的原理を他の実施の形態に適用できよう。従って、本発明は、図示の実施の形態へ限定することを意図しているのではなく、ここで説明する原理および特徴と一致する最も広い範囲が与えられることを意図している。
【００１６】
本発明は、マルチルームテレビジョンシステムを効果的に実施するための方法を含み、多様な番組ソースを処理し、合成することにより、処理済みストリームを生成するデジタル基地ステーションを含む。次いで、通信プロセッサがそれに応じて、様々な遠隔場所で好きなように見れるように、様々な固定および携帯無線の表示装置へ、ローカルコンポジットストリームとして処理済みストリームを送信する。遠隔場所のユーザは、彼らの視聴装置のために番組ソースを選択でき、デジタル基地ステーションがローカルコンポジットストリームの一部として提供する番組ガイドを含む付加的な番組情報を要求できる。
【００１７】
図１を参照して、本発明の一実施の形態による基本的なマルチルームテレビジョンシステム１１０のブロック図を示す。図１の実施の形態において、マルチルームテレビジョンシステム１１０は、これに限定されるものではないが、幾つかの番組ソース１１２、切換器（スイッチャー）１３８、デジタル基地ステーション１５６、第１有線テレビ（ＴＶ）１５０、第２無線クライアントテレビ（ＴＶ）１５２、第３有線テレビ（ＴＶ）１５４、第４携帯テレビ（ＴＶ）１５８、および遠隔パソコンステーション１６８を含む。これら表示装置はそれぞれ、これに限定されるものではないが、標準精細度テレビ（ＳＤＴＶ）フォーマット、高精細度テレビ（ＨＤＴＶ）フォーマット、またはＸＧＡ、ＳＸＧＡ、ＵＸＧＡ、および１０８０プログレッシブ（１０８０Ｐ）等の、他の解像度形式を含む様々な表示フォーマットを扱うことができる。本発明の他の実施の形態では、マルチルームテレビジョンシステム１１０は、図１の実施の形態と併せて説明したものの内のどれかと異なるコンポーネントもしくは構成か、またはそれに追加したコンポーネントもしくは構成を含む。他のそのような一システムにより、マルチルームＴＶシステム１１０を介したパーソナルコンピュータ（パソコン）の遠隔使用が可能となる。
【００１８】
図１の実施の形態では、マルチルームテレビジョンシステム１１０は、家庭環境で経済的かつ効果的に使用可能に構成される。しかし、代替の実施の形態では、本発明は、任意の適切な環境で使用可能に実施できる。図１の実施の形態では、番組ソース１１２は、これに限定されるものではないが、他の装置と通信し、または入力／出力（Ｉ／Ｏ）経路１１６を経由してネットワークへ通信するパソコン１１４、デジタルビデオディスク装置または高精細度ＤＶＤ（ＤＶＤ／ＨＤ−ＤＶＤ装置）１１８、経路１２２を経由してケーブルＴＶ信号を受信するケーブルシステム受信器１２０、接続１２８により番組コンテンツの他のソースへ接続できる、各種形式の選択可能番組を格納し、提供するメディアサーバ／デジタルビデオレコーダ１２４、ネットワークゲームを含むことができるゲーム機１２６、およびその他ソース１３０、を含むことができる選択可能な多様な消費者向け電子装置を備える。その他ソース１３０は、監視カメラシステムからの、またはビデオカセットレコーダからのローカルビデオのような、任意の所望形式の番組ソースを含むことができる。衛星システム受信器１３２は、経路１３４を経由して衛星パラボラ信号を受信する。各種の番組ソースは、単一装置を利用するか、またはどれかの装置内のマルチバンドチューナを利用することもできる。パソコン１１４に対しては、番組ソース１１２は、主ユーザがコンピュータ１１６をローカルに使用し、副ユーザがマルチルームテレビジョンシステム１１０を介してコンピュータ１１６を使用できるように、コンピュータからの第２グラフィック出力ポートとしてもよい。
【００１９】
本発明の代替の実施の形態では、番組ソース１１２は、図１の実施の形態と併せて説明したものの内のどれかと異なるか、またはそれに追加した、他の任意な形式の番組ソースまたは装置を含めるように構成することもできる。例えば、番組ソース１１２は、任意の互換性のあるフォーマットまたは適切なフォーマットでフォーマット変換できる、ビデオ、オーディオ、またはデータ情報を含む任意形式の情報を提供できる。さらに、番組ソース１１２は、経済的な消費者向け家庭用途以外の環境で使用するための情報を含むように実施できる。例えば、マルチルームテレビジョンシステム１１０は、工業用途、政府用途、または科学用途を含むその他の各種用途を意図する番組ソース１１２を含むよう構成できる。
【００２０】
本発明は、別の番組ソース１１２として実施される各種補助データ送信を、サポートすることもでき、代替として別の既存の番組ソース１１２に組み込むこともできる。例えば、関連番組情報および／または番組チャンネルのガイド情報は、番組ソース１１２として提供するか、または別の番組ソース１１２へ組み込むことができる。このような番組ガイド情報は、テレビ放送の垂直帰線区間（ＶＢＩ）信号によるか、ＭＰＥＧシステムデータによるか、または高域ネットワーク（ＷＡＮ）接続を経由するインターネットによるか、を含む任意の適切な方法で提供することができる。
【００２１】
図１の実施の形態では、切換器１３８が、各種の番組ソース１１２からの個々の番組信号を、経路１３６を経由して受信する。次いで、切換器１３８は、通常はシステム１１０の視聴者により提供される操作情報に応じて、一つ以上の番組ソース１１２をスイッチャー出力番組として選択する。切換器１３８は、スイッチャー出力番組からのオーディオおよびビデオ情報を、経路１４０を経由してＴＶ１５４へ提供する。切換器１３８は、様々な番組ソースからのアナログ信号か、または復号化されたデジタル信号の何れかを受信するのが普通である。ビデオでは、これらの信号はコンポジットビデオ、コンポーネントビデオ、Ｓ−ビデオ、ＤＶＩ、またはＨＤＭＩを含むことができる。
【００２２】
また、本発明によれば、切換器１３８は、アナログ経路１４２またはデジタル経路１４４を経由して、デジタル基地ステーション１５６へ一つ以上の番組ソース１１２を提供する。図１の実施の形態では、デジタル基地ステーション１５６は、システム１１０内にディスクリートコンポーネントとして実装される。しかし、代替の実施の形態では、デジタル基地ステーション１５６は、セットトップボックス（不図示）として、またはシステム１１０内の他のコンポーネントの一部として実装してもよい。
【００２３】
さらに、デジタル基地ステーション１５６は、デジタル経路１４６を経由して番組ソース１１２を直接受信できる。デジタル経路１４６は、ＤＶＩ、ＨＤＭＩまたは他のフォーマットで未圧縮の番組ソース情報を含むことができる。代替として、デジタル経路１４６は、ＭＰＥＧ−２、ＭＰＥＧ−４、ＶＣ１、Ｈ．２６４、または番組ソース１１２の内の一つが用いる任意の他のフォーマットの形式で圧縮された番組ソース情報を含んでもよい。これらの番組ソース１１２はそれぞれ、各種データを含むことができ、視聴する前に信号の追加認証が必要な番組ソースへの条件付きアクセス保護をも含む。
【００２４】
本発明によれば、デジタル基地ステーション１５６は、受信した一つ以上の番組ソース１１２を処理し、処理した一つ以上の番組ソース１１２を、様々な有線接続１６０、１６２を用いるか、またはデジタル基地ステーション１５６からの無線接続１６４を用いて、ローカルコンポジットストリームとして送信する。接続１７０によるテレビ１５２、接続１７２による携帯型テレビ１５８、接続１７４によるリモートビデオ製品１６６、および接続１７６による遠隔パソコンステーション１６８はそれぞれ、システムユーザが好きなように離れて視聴できるように構成される。システム１１０のデジタル基地ステーション１５６および各種テレビの実施および機能性については、図２〜図９と併せて以下に詳述する。
【００２５】
図２を参照して、図１のクライアントテレビ１５２のブロック図を、本発明の一実施の形態に基づいて示す。図１の実施の形態を利用して、システム１１０の特定の他の表示装置を実装することもできる。図２の実施の形態では、クライアントテレビ１５２は、限定はしないが、表示画面２１２への経路と、以下の何れか、すなわち、無線ＲＦ受信器２１４のアンテナユニット２４０、同軸受信器２１６の同軸ケーブル２４４、ＬＡＮプロセッサ２１８の有線ＬＡＮ接続２４２、処理２２０（１３９４およびＵＳＢ受信器を含む）に関係付けられる一つ以上の高速デジタル接続２４６、ＨＤＭＩ受信器２５６のＨＤＭＩ２４８、およびアナログ受信器２２２のアナログビデオ入力２５０、を含む各種入力との組み合わせを含む。
【００２６】
無線ＲＦ受信器２１４は、８０２．１１ａ、ｂ、ｇ、ｎ、ｓ、およびその派生項、ならびに各種のウルトラワイドバンド（ＵＷＢ）版を含む多様な無線プロトコルを受信し、処理する能力がある。アンテナ２４０は、一つ以上のアンテナを含み、無線ＲＦ受信器２１４と組み合わされ、ダイバーシティアンテナ、マルチ位相、マルチ入力マルチ出力（ＭＩＭＯ）、および他の関連技法等の高度な技法を利用できる。経路２５８は、リソース共有を所望する場合、ＲＦ受信器がＬＡＮプロセッサを利用できるようにする。
【００２７】
同軸受信器２１６は、多様なアナログおよびデジタルプロトコルをサポートする能力がある。デジタルプロトコルは、同軸経由マルチメディアアライアンス（ＭｏＣＡ（登録商標））、アドバンストテレビジョン標準化委員会（ＡＴＳＣ）規格の８−ＶＳＢ変調、オープンケーブルネットワークインターフェース（ＯＣＩ−Ｎ）または１３９４規格の同軸実装、ＨＤＭＩまたは類似の派生規格を含むことができる。送信信号のオーディオ、ビデオおよびデータ部を分離するために、オーディオ／データ復号器を持つデマルチプレクサ２５６が、データを受信する第１処理ブロックとなる。このブロック２５６は、他のブロックの一つへビデオ処理を渡しながら、一方でデータおよびオーディオの処理を実行する。
【００２８】
図２の実施の形態では、クライアントＴＶ１５２は、保護コンテンツを使用するために利用する条件付きアクセス２２８のセキュリティモジュールを含む、高精細度テレビ（ＨＤＴＶ）をサポートできる別体のＡＴＳＣ復号器２２６を含むことができる。この条件付きアクセスは、何らかの型式のセキュリティカードを用いるＰＯＤ（ペイオンデマンド）の形式からできているか、またはカードが不要なソフトウエアまたはネットワーク型キーを、システムが用いることができる。デジタル番組ストリームが、ＡＴＳＣ ＨＤＴＶ仕様で規定されるＭＰＥＧ−２以外のフォーマットの場合、アドバンスト復号器２５４がビデオを解凍し、表示プロセッサ２２４が表示画面２１２にビデオを提供することになる。
【００２９】
アドバンスト復号器２５４は、ＭＰＥＧ−２、ＭＰＥＧ−４、ＶＣ１、Ｈ．２６４、ベクトル量子化（ＶＱ）、ウエーブレット変換、３Ｄウエーブレット変換、または別の型式のビデオ圧縮法を含む一つ以上の異なる圧縮フォーマットを復号化する能力がある。システム１１０の一実施の形態では、デジタル基地ステーション１５６（図１）は、アドバンスト復号器２５４が一形式の復号化を実行するだけで済むように、全ての異なるビデオフォーマットを統一ビデオフォーマットへ変換する。最適化されたこのようなシステム１１０内のウエーブレット変換および３Ｄウエーブレット変換のコーデック（ＣＯＤＥＣ：符号／復号器）の使用について、図７と併せて更に以下説明する。
【００３０】
同軸受信器２１６は、追加処理のＬＡＮプロセッサ２１８を利用し、経路２５２を経由して復調した情報を提供することができる。ＬＡＮプロセッサ２１８は、経路２４２を経由してＬＡＮへ接続することもでき、カテゴリ５の無シールドツイストペア（ＵＴＰ）ケーブル、または他型式のケーブルを使用してもよい。プロトコルには、１０／１００イーサネット、ギガビットイーサネット、１３９４Ｃ、または住宅用イーサネットの何らかの他の形式が含まれる。同軸受信器２１６は、圧縮ビットストリームを受信するための標準ＡＴＳＣ仕様をサポートすることもできる。
【００３１】
再び図１を参照すると、遠隔パソコンステーション１６８は別の種類のクライアントである。一実施の形態では、遠隔地のパソコン１１４を、遠隔ユーザが完全に操作でき、または多数ユーザがマルチユーザ方式で共有することができる。番組ソース１１２の選択や操作だけでなく、遠隔パソコンステーション１６８は、遠隔キーボードおよび遠隔マウスを介して、パソコン１１４を操作するための特定コントロールを含んでいてもよい。マルチルームテレビジョンシステム１１０は、ネットワークインターフェース１７６の一つを介して、遠隔パソコンステーション１６８からパソコン１１４へ、キーボードおよびマウスの命令を送信することができ、次いで、遠隔パソコンステーション１６８に表示するために、パソコン１１６からデジタル基地ステーション１５６を通じて、表示画面を送信することができる。別の実施の形態では、遠隔ゲームステーションが、キーボードおよびマウスの代わりにジョイスティックまたはゲームパッドを用いて、同様の方法で動作可能である。
【００３２】
図３を参照して、本発明の一実施の形態に基づく、図１のマルチルームテレビジョンシステム１１０内の携帯型テレビ１５８の一実施例として用いるための、遠隔操作装置（リモコン）３１０の図を示す。図３の実施の形態では、リモコン３１０は、これに限定されるものではないが、リモコン画面３１４、リモコンボタン３１２、無線周波送信器／受信器（ＲＦ ＸＭＩＴ／ＲＣＶＲ）３１８、および赤外線送信器／受信器（ＩＲ ＸＭＩＴ／ＲＣＶＲ）３１６を含む携帯装置である。
【００３３】
図３の実施の形態では、視聴者は、リモコン３１２を用いてマルチルームテレビジョンシステム１１０の各種コンポーネントおよび操作パラメータを操作できる。例えば、リモコン３１２を用いて、システム１１０の他のコンポーネントおよびサブシステムの動作を、ＲＦ ＸＭＩＴ／ＲＣＶＲ３１８またはＩＲ ＸＭＩＴ／ＲＣＶＲ３１６の何れかを用いる無線送信処理を介して操作できる。
【００３４】
リモコン画面３１４は、適切でかつ互換性のある表示技術を用いて実装される表示コンポーネントを含む。こうして、リモコン３１０は、ＲＦ ＸＭＩＴ／ＲＣＶＲ３１８またはＩＲ ＸＭＩＴ／ＲＣＶＲ３１６を介して、デジタル基地ステーション１５６からローカルコンポジットストリームを受信し、それに応じて、リモコン画面３１４上に少なくとも一つの選択可能番組ソース１１２を表示できる。
【００３５】
一実施の形態では、このようにして、システムユーザは、メインのＴＶ１５０またはリモートＴＶ１５２上で、中断されない主番組ソース１１２を見ながら、同時にリモコン画面３１４により多様な選択可能な番組ソース１１２をプレビューできる。上記プレビュー機能では、リモコン画面３１４は、マルチルームテレビジョンシステム１１０内の別のピクチャーインピクチャー（ＰＩＰ）チューナから送られてくる無線送信を受信できる。従って、プレビュー機能は、番組ソース１１２をプログラミングしたり、または現在の番組視聴動作を中断せずに他のチャンネルをプレビューするような機能のために利用できる。
【００３６】
図４を参照して、図１のマルチルームテレビジョンシステム１１０と併せて用いる、本発明の一実施の形態による補助基地ステーション４１０のブロック図を示す。図４の実施の形態では、補助基地ステーション４１０は、限定はしないが、無線周波（ＲＦ）リピータ４１４、リモートＴＶ接続４１２、および交流／直流（ＡＣ／ＤＣ）変換器４１８を含む。代替の実施の形態では、補助基地ステーション４１０は、図４の実施の形態と併せて説明したこれら特定のコンポーネントと異なるか、または追加される他の各種コンポーネントを含むように実施することも容易である。
【００３７】
図４の実施の形態では、ＲＦリピータ４１４は、リモートＴＶ１５８またはリモコン３１０が、デジタル基地ステーション１５６からの直接無線送信を十分に受信できない状況で、リモートＴＶ１５８またはリモコン３１０への一つ以上の番組ソース１１２の送信を強化して、送信品質を改良するという利点がある。例えば、壁の密度や構成、またはデジタル基地ステーション１５６からの物理的距離のような各種要因により、送信の強度や品質が著しく劣化することがある。
【００３８】
本発明によれば、ＲＦリピータ４１４は、高周波伝送技法を用いて、デジタル基地ステーション１５６から直接送信されるローカルコンポジットストリームを受信し、強化できる。このようなＲＦリピート実施では、ＲＦリピータ４１４は、メッシュ形ネットワークエージェントとして作用するか、または８０２．１１ｓ規格に準拠してもよい。代替として、ＲＦリピータ４１４は、番組ソース送信を受信し、強化するとともに、任意の適切な技法および構成を用いて実装できる有線の家庭内ネットワーク（有線ローカルエリアネットワーク（ＬＡＮ）４１６）上に提供される各種操作情報を伝送してもよい。
【００３９】
特定の実施の形態では、マルチルームテレビジョンシステム１１０は、別々の送信サブチャンネル上でそれぞれが動作する多数の補助基地ステーション４１０を含むことができる。本発明によれば、リモートＴＶ１５８（図１）またはリモコン３１０（図３）は、従って、最高品質の送信信号を提供する特定サブチャンネルを配置するよう検索でき、次いで、無線送信を最適化するために、対応する補助基地ステーション４１０へユーザに気づかれないまま切換えることができる。
【００４０】
図４の実施の形態では、システムユーザは、リモートＴＶ接続４１３へ携帯型テレビＴＶ１５８を接続することにより、補助基地ステーション４１０上に携帯型テレビ１５８を格納できる。さらに、ＡＣ／ＤＣ変換器４１８は、ＲＦリピータ４１４へ動作電力を提供し、リモートＴＶ接続４１２を介して携帯型テレビ１５８内のバッテリを充電することもできる。
【００４１】
次に図５を参照して、本発明の一実施の形態に基づく、図１のデジタル基地ステーション１５６からのメディア入力サブシステム５１２を示す。図５の実施の形態では、デジタル基地ステーション１５６は、限定はしないが、一つ以上のメディア入力サブシステム５１２を含む。図５の実施の形態では、メディア入力サブシステム５１２は、経路５１４のアナログビデオ、経路５２８のアナログオーディオ、経路５３２の非圧縮デジタルオーディオ／ビデオ（Ａ／Ｖ）データ、および圧縮デジタルオーディオ／ビデオ（ＣＤＡＶ）５３６を含む各種入力信号を受信する。代替の実施の形態では、メディア入力サブシステム５１２は、各種制御信号５１６を含む適切でかつ互換性のある他の任意形式の入力信号を受信できる。サブシステムコントロール５１８が、制御信号５１６を利用して、メディア入力サブシステム５１２の各種処理ステップそれぞれを制御する（サブシステムコントロールへの接続は不図示）。追加接続は、ユニバーサルシリアルバス（ＵＳＢ）５６２を介して利用できる。
【００４２】
本発明によれば、メディア入力サブシステムコントロール５１８は、広範なフォーマットおよび構成を用いて符号化される番組ソース１１２（図１）から各種情報を受信する。次いで、メディア入力サブシステムコントロール５１８は、受信した番組ソース１１２を処理し、操作して、図１のテレビ１５０、１５２、１５８、リモートビデオ製品１６６の内の一つ、または遠隔パソコンステーション１６８で表示するために、通信プロセッサ６３６（図６）がダウンストリーム送信する互換性のある特定フォーマットで、処理済み番組情報を生成するという利点がある。
【００４３】
アナログビデオ情報の場合には、デジタイザ５３０は、アナログビデオを、入力ストリームプロセッサ５３０へ渡すデジタルビデオへ変換する。アナログオーディオ情報の場合には、アナログ−デジタル変換器（ＡＤＣ）５１６が、経路５２８のアナログオーディオを、オーディオプロセッサ５３４が入力ストリームプロセッサ５３０を経由して受信するデジタルオーディオへ変換する。本発明の一実施の形態では、オーディオプロセッサ５３４は、各種ＭＰＥＧやＰＣＭ（パルス符号変調）の技法および処理の双方向変換を含む。上記のオーディオ信号処理手順に続いて、オーディオプロセッサ５３４は、処理したオーディオを出力ストリームプロセッサ５２４へ提供する。
【００４４】
入力ストリームプロセッサ５３０は、デジタイザ５３０からのデジタル化ビデオ、オーディオ用アナログーデジタル変換器（ＡＤＣ）５１６からのデジタル化オーディオ、経路５３２のデジタルのオーディオおよびビデオ、ならびに経路５３６の圧縮したデジタルのオーディオおよびビデオを受信する。経路５３２の非圧縮デジタルビデオ、例えばＨＤＭＩ、ＤＶＩ、ＤＶＯおよびＳＤＶＯである。経路５３６の圧縮ビデオデータに適する標準規格は、１３９４Ａ、１３９４Ｂ、１３９４Ｃ、または他の類似バスを含む。ＵＳＢ５６２は、圧縮オーディオおよびビデオデータを搬送できる別のバスである。入力はそれぞれ、オーディオおよびビデオ情報の追加情報（各種の補足データおよび追加のストリーム情報等）を含むことができる。入力ストリームプロセッサ５３０の機能の一つは、多様な入力のオーディオ、ビデオ、およびデータ部を分離し、次いで、オーディオ情報をオーディオプロセッサ５３４へ送り、ビデオ情報をビデオプロセッサ５３８へ送り、データ・デジタル著作権管理（ＤＤＲＭ）プロセッサ５５２へ、補足データおよびデジタル著作権管理（ＤＲＭ）情報を追加することである。入力ストリームプロセッサ５３０は、サブシステムコントロール５１８から、追加処理ステップも要求する３種類の処理に関連する各種制御を含む情報も受信する。例えば、サブシステムコントロール５１８は、入力ストリームプロセッサ５３０へ、ビデオプロセッサ５３８の一部として提供される様々な種類のウィンドウ管理および表示機能を指示する。
【００４５】
ビデオプロセッサ５３８は、入力ビデオストリームの処理に関連する多くの機能を実行する。これらの機能は、デジタル信号プロセッサ、メディアプロセッサ、汎用プロセッサ、グラフィックプロセッサ（画像処理器）、固定機能処理ブロック、または上記を任意に組み合わせた方法を含め、様々な方法で実行することができる。処理ブロックに加えて、各種の処理ブロックとは別体のまたは統合された各種の格納メモリーが必要である。図５に示すユニットは、ビデオプロセッサ５３８の一バージョンで可能な、限定はしないが、幾つかの各種機能の機能的説明である。
【００４６】
各種の圧縮および解凍（ＣＯＤＥＣ）方法および規格が、ロスレス（可逆圧縮）またはロッシー（非可逆圧縮）のこともあるが、ビデオ用に存在する。離散コサイン変換（ＤＣＴ）型ＣＯＤＥＣは、ＭＰＥＧ、ＭＰＥＧ−２、Ｈ．３２３、ＭＰＥＧ−４、ＷＭ９、ＶＣ１、ＡＶＣ、ＡＶＳおよびその他の類似規格を含む。ウエーブレット変換は、別の形式のＣＯＤＥＣであり、ＪＰＥＧ２０００は、ウエーブレット型ＣＯＤＥＣの一例である。各ＣＯＤＥＣの様々な形式は、圧縮がビデオフレーム内で行われる空間的圧縮か、または圧縮がフレーム間で行われる時間的圧縮（第３の次元が時間である３Ｄ処理とも呼ばれる）かのどちらかである。ＤＣＴ型ＣＯＤＥＣは、ピクチャー群（ＧＯＰ）上で動作するのが普通であるが、単一のインデックスフレーム（Ｉフレーム）上でも動作する。ＤＣＴ型ＣＯＤＥＣは固定サイズのピクセルブロック上で動作するのが普通であるが、一方、ウエーブレット型ＣＯＤＥＣはより柔軟に動作できる。ＣＯＤＥＣアーキテクチャに基づく、計算の複雑さ、待ち時間、圧縮比、ビデオ品質、メモリー要求度および互換性問題のトレードオフが数多く存在する。ランレングス符号化（ＲＬＥ）、ハフマンコード、ベクトル量子化（ＶＱ）、ＪＰＥＧおよびモーションＪＰＥＧに基づく他のＣＯＤＥＣを本システムで利用できる。
【００４７】
様々なＣＯＤＥＣの各種標準実装をサポートすることに加えて、システム１１０はビデオおよび表示に関連するので、可能な場合、ウエーブレット型ＣＯＤＥＣでは、全体フレーム基準ではなく、走査線または走査線群基準で動作する方が有用である。走査線上または走査線群上で動作することにより、ウエーブレットＣＯＤＥＣは、ビデオフレームの最初の部分の送信を開始でき、その間、ビデオフレームの追加される部分を圧縮し続けることができる。ＤＣＴ型ＣＯＤＥＣは、解凍が過去および未来のビデオフレームからの情報を利用する、時間圧縮がもっと複雑な方法を用いることが多いので、現在のビデオフレーム上で動作する場合、復号器へ既に利用可能な過去のビデオフレームからの表示情報を用いるだけでよい、待ち時間の少ない３Ｄウエーブレット符号器の方が良好である。このような３Ｄウエーブレット符号器を用いることにより、変化した走査線群を符号器を通過する時に圧縮できる。走査線または走査線群が変化しなかった場合、符号器は、過去のフレームからのデータを使用するよう復号器へ指示できる。フレーム全体を必要としない他のプレシンクト（境界）型の方法を用いることができ、その方法では、境界同士の結合部分にエッジノイズが発生せずに圧縮できるブロック群として境界が定義される。
【００４８】
ウエーブレット型変換は、システム１１０にとって有益な別の特性を有する。例えば、ある形式のウエーブレット変換は、フレーム画像をフィルタ処理し、異なるサイズに縮尺変換したフレームの変形群である幾つかのサブバンドに、各フレームを分解する。システム１１０は、送信チャンネルに関する情報および目標表示特性と併せて、サブバンド符号化を最適化するために、同一画像の異なる解像度を有するこのピラミッド型スキームを用いる。上記技法について、図７と併せて更に以下説明する。
【００４９】
解凍５４０機能を用いて、番組ソース１１２の一つから受信されるビデオ入力を解凍する。ビデオを解凍することにより、ビデオは空間領域へ変換されるので、各ビデオフレームを簡単に操作できるようになる。解凍ユニット５４０は、様々な番組ソース１１２が用いるビデオ圧縮形式を操作できるのが典型的であり、ＭＰＥＧ−２、ＭＰＥＧ−４、ＶＣ１、Ｈ．２６４、ＤＩＶＸ、または別のビデオ形式を含むことができる。
【００５０】
逆に、圧縮５４２機能を用いて、出力ストリームプロセッサ５２４が使用するためのビデオフォーマットへ非圧縮ビデオを圧縮する。圧縮５４２機能がサポートするフォーマットは、マルチルームテレビジョンシステム１１０に有用なフォーマットである。サポートされる圧縮フォーマットは、ＭＰＥＧ−２、ＭＰＥＧ−４、ＶＣ１、Ｈ．２６４、ＶＱ、ウエーブレット変換、３Ｄウエーブレット変換、または別の型式のビデオ圧縮法を含む。ウエーブレット変換符号化は、サブバンド符号化および関連フィルタ設計に密接に関連付けることができる。このように、ウエーブレット変換は、ピラミッド型スキームのマルチ解像度解凍を含むことができる。異なる符号化技法を用いて異なるサブバンドを圧縮することも可能である。
【００５１】
レート変換およびコード変換５４４機能（レート／コード変換）を用いて、必ずしも全体にわたって復号化および符号化をしなくても、所与のビデオ圧縮フォーマット内でビットレートを変換し、または使用するビデオ圧縮フォーマットを、入力圧縮フォーマットの一つから、出力圧縮フォーマットの一つへ変換する。全体にわたる復号化および符号化は、大きな処理パワーを必要とするし、品質の低いビデオを生じることがあるので、それを回避すると有利なことがある。コード変換のためのフォーマットは、圧縮機能５４２に対して上記列挙したフォーマットを含むことができる。圧縮フォーマット内でビットレートを変更するレート変換機能は、ビットレートを後続のダウンストリームネットワークインターフェース（後述する）へ一致させるために有用である。
【００５２】
画像プロセッサ５５０機能は、入力ビデオストリームに各種の画像操作を実行する。このような操作は、システムに対してフォーマットおよび表示レートを最適化するための、ビデオフォーマット変換およびフレームレート変換を含むことができる。例えば、画像プロセッサ５５０は、完全な７２０プログレッシブ高精細度をサポートできない表示装置に対して、７２０プログレッシブ高精細度入力ビデオの解像度を修正して、４８０プログレッシブへ変換できる。別の機能は、他の画像強化操作を含むことができる。
【００５３】
グラフィックプロセッサ５４６機能を用いて、グラフィカルユーザーインターフェースの描画を実行し、オンスクリーン番組ガイドを提供する機能等のオンスクリーン表示のグラフィックを生成する。グラフィックプロセッサ５４６機能は、２Ｄグラフィック操作、３Ｄグラフィック操作、およびビデオデータに実行される特殊グラフィック操作を含むことができる。一実施例では、グラフィックプロセッサ５４６は、番組ガイド情報のオーバーレイ表示を生成する。次いで、このようなオーバーレイ表示を表示／オーバーレイプロセッサ５４８によりビデオフレームと合成して、グラフィックとビデオの合成フレームを生成する。グラフィックとビデオを合成する際に、表示／オーバーレイプロセッサ５４８は、アルファブレンド合成、ビデオをウィンドウへ縮尺、グラフィックにビデオをまたはビデオにグラフィックをカラー／クロマキー合成、またはグラフィックとビデオデータを合成する幾つかの他の任意の機能等の機能を実行する。
【００５４】
上記のように、デジタル基地ステーション１５６（図１）は、複数のメディア入力サブシステム５１２を含むことができる。場合によっては、表示／オーバーレイプロセッサ５４８は、他のメディア入力サブシステム５１２が処理したビデオストリームに対して、グラフィックとビデオを合成する機能を実行してもよい。こうしてピクチャーインピクチャーの各種合成法、および複数の同時進行ビデオの他の合成法をサポートできる。複数ビデオ間やビデオとグラフィック間のワイプ効果やフェイド効果のような追加機能を実行して、システムの総合能力を向上させることもできる。
【００５５】
ビデオプロセッサ５３８の総合機能の実施例として、番組ソース１１２の圧縮フォーマットを、サービスプロバイダーネットワーク送信に対して最適化できるが、ローカルのマルチルームシステム１１０で最も有用な圧縮フォーマット形式でなくてもよい。Ｈ．２６４ビデオ圧縮フォーマットは非常に狭帯域幅の解決策をもたらし、１０００万ビット／秒（１０Ｍｂｐｓ）未満で高精細度ビデオ信号を送信できるので、衛星放送はＨ．２６４を利用できる。マルチルームテレビジョンシステム１１０では、ローカルネットワークの帯域幅が１０Ｍｂｐｓよりかなり高いことがある。さらに、グラフィックデータをネットワークの放送ビデオストリームと視覚的に合成するよう、デジタル基地ステーション１５６が要求され、そのグラフィックデータの操作が、デジタル基地ステーション１５６と同じ部屋にはないテレビ画面１５２から実行されていることがある。このような例では、入力ビデオストリームを解凍５４０機能により処理し、次いで、解凍ビデオをグラフィックプロセッサ５４６の出力と合成し、表示／オーバーレイプロセッサ５４８が各フレームの最終画像合成を実行することができる。次いで、各画像合成フレームは、ウエーブレット変換を実行する圧縮５４２機能により処理できる。ウエーブレット変換したビデオデータは、１０Ｍｂｐｓ程度であろうが、ウエーブレット変換、または３Ｄウエーブレット変換の待ち時間が非常に短いので、テレビ１５２のユーザは、グラフィック表示ナビゲーションやビデオ操作に対して非常に速い応答操作性を体感する。
【００５６】
データおよびデジタル著作権管理（ＤＤＲＭ）プロセッサ５５２は、サービスプロバイダが提供する保護されたプレミアム番組を、一台以上のテレビがある家庭環境内で安全に使用できるように、適切なデジタル著作権管理（ＤＲＭ）の実行を含む各種機能を実行する。サービスプロバイダに対する認証は、スマートカード、またはキー型暗号システムの他の方法を含む。ＤＤＲＭプロセッサ５５２は、セキュリティプロトコルの一部としてキー交換を用いる場合のキー生成能力を含んでもよい。ＤＤＲＭプロセッサ５５２は、デジタルリビングネットワークアライアンス（ＤＬＮＡ）仕様の規定要件に準拠することもできる。他のデータ操作に、番組ソース１１２に含まれた補助データ情報の処理を含めることができる。
【００５７】
各種インターフェースが、それらと関係付けられるＤＲＭスキームをそれぞれ変形してもよい。放送ＴＶは、番組をコピー可能かどうかを指示するフラグを含んでもよい。ＨＤＭＩは、高精細度コンテンツに対するアクセス権を指示する高精細度コピー保護（ＨＤＣＰ）プロトコルを含む。１３９４バスは保護プロトコルとしてＤＴＣＰを含むことができる。ＤＤＲＭプロセッサ５５２は、コンテンツを、ネットワークインターフェースの一つを越えて配布させたり、フォーマット器５２６や経路５５６を介してテレビ装置へ出力しながら、意図された入力スキーム保護の順守に関わる。
【００５８】
出力ストリームプロセッサ５２４は、オーディオ、ビデオおよびデータの分解を実行し、経路５２２を経由して通信プロセッサ６３６（図６）が用いる出力ストリームを生成する。処理したビデオは、表示フォーマット器５２６によりフォーマット変換され、テレビ入力への直接接続に適する配線バス５５６上に出力することもできる。
【００５９】
出力ストリームプロセッサ５２４とビデオプロセッサ５３８との間の経路５５３は双方向である。従って、ビデオプロセッサ５３８は、ダウンストリーム通信プロセッサ６３６（図６）およびＲＦ ＸＭＩＴ／ＲＣＶＲ６４０からの情報を受信できる。システム１１０がビデオ情報を送信するのに用いる通信チャンネルの形式を理解することにより、ビデオ符号化のパラメータを適切に調整できる。上記技法について、図７および図８と併せて以下に詳細に説明する。
【００６０】
図６を参照して、例示のデジタル基地ステーション１５６のブロック図は、限定はしないが、メディア入力サブシステム５１２、赤外線送受信器（ＩＲ ＸＭＩＴ／ＲＣＶＲ）６４４、一つ以上のローカルエリアネットワーク（ＬＡＮ）インターフェース６５２、６７４、通信プロセッサ６３６、ＲＦ送受信サブシステム６４０、アンテナ６６４、ならびにネットワークオーディオ／ビデオインターフェース６５８を含む。代替の実施の形態では、デジタル基地ステーション１５６は、図６の実施の形態と併せて説明した特定コンポーネントと異なるか、またはそれらに追加される各種コンポーネントを含むよう実施できる。
【００６１】
図６の実施の形態では、メディア入力サブシステム５１２は、番組ソース１１２（図１）を含む適切な任意ソースからの各種選択可能番組信号を受信できる。次いで、メディア入力サブシステム５１２は、それに応じて受信番組信号を処理し、操作して経路５２２上に、通信プロセッサ６３６が用いる処理済み出力ストリームを生成する。それに応じて、通信プロセッサ６３６は、処理済みストリームにネットワーク処理手順を実行して、経路６３８を経由する無線周波数送受信器（ＲＦ ＸＭＩＴ／ＲＣＶＲ）６４０への送信器準備完了ストリームを生成する。通信プロセッサ６３６は、マルチルームテレビジョンシステム１１０の関連特性に応じて上記ネットワーク処理手順を実行する。例えば、ネットワーク処理手順は、効果的な無線送信に利用される特定の無線送信技法、または各種のＬＡＮまたはネットワークのオーディオ／ビデオインターフェースに要求されるバス調停形式のような様々な因子に依存する。
【００６２】
図６の実施の形態では、ＲＦ ＸＭＩＴ／ＲＣＶＲ６４０は、次に、送信器準備完了ストリームを操作して（例えば、アップコンバート（高い周波数へ変換）および変調）、ローカルコンポジットストリームを生成し、経路６６２およびアンテナ６６４を通じて、本発明に基づく、リモートＴＶ１５８、リモコン３１０、補助基地ステーション４１０、または他の適切な装置へ送信するという利点がある。図６の実施の形態では、ＲＦ ＸＭＩＴ／ＲＣＶＲ６４０を実装して、８０２．１１ａ、８０２．１１ｂ、８０２．１１ｇ、８０２．１１ｎ、またはＵＷＢ規格の一つ、を含め、サポートされている各種無線規格を含む任意の所望型式の効果的なアップコンバート、変調、または他の無線送信技法を含めることができる。ＵＷＢを用いる場合、先進技術の無線１３９４および無線ＵＳＢによる１３９４およびＵＳＢプロトコルを無線でサポートすることができる。
【００６３】
図６の実施の形態では、デジタル基地ステーション１５６は、ＬＡＮインターフェース６５２を介して、各種広域ネットワーク（インターネット等）と通信できる。例えば、メディア入力サブシステム５１２は、経路６５０、ＬＡＮインターフェース６５２、経路６５４、通信プロセッサ６３６、および経路５２２を経由して、インターネットからのデジタルＡ／Ｖデータにアクセスできる。次いで、メディア入力サブシステム５１２は、インターネットＡ／Ｖデータを処理し、次に、上記説明のように、ＲＦ ＸＭＩＴ／ＲＣＶＲ６４０で無線送信するために、経路５２２を通じて、通信プロセッサ６３６へ処理したインターネットＡ／Ｖデータを提供する。同様に、メディア入力サブシステム５１２は、番組ソース１１２の一つを処理し、インターネット上で遠距離クライアントへ処理済みストリームを配布するために一圧縮形式を実行する。
【００６４】
本発明によれば、通信プロセッサ６３６は、図４と併せて先に説明したように、経路６５４、ＬＡＮインターフェース６５２、および経路６５０を経由して、補助基地ステーション４１０内のＲＦリピータ４１４へ送信器準備完了ストリームも提供する。システムによっては（例えば、ＭｏＣＡ型システム）、ＬＡＮ接続６５０は、同軸ＴＶインターフェース５６４と物理的に同一とすることができる。標準の電話線または電力線を用いる家庭用ネットワークのような別のシステムでは、第２ＬＡＮ接続６７２が、ＬＡＮインターフェース６７４により制御される。別の実施の形態では、ＬＡＮインターフェース６７４は、イーサネットオーバーＣＡＴ５ ＵＴＰケーブル（ＣＡＴ５規格のＵＴＰケーブルで動作するイーサネットプロトコル）、イーサネットオーバーパワーライン（電力線）、イーサネットオーバーフォンライン（電話線）およびイーサネットオーバーコアックス（同軸ケーブル）等、多数の物理的インターフェース（不図示）を制御できる。
【００６５】
通信プロセッサ６３６は、ＣＡＴ５ケーブルのような多様な物理的接続６５６またはＣＡＴ５ｅまたはＣＡＴ６のようなＵＴＰケーブルの強化版、へ接続できるネットワークオーディオ／ビデオインターフェース６５８を制御することもできる。追加の物理的接続は、同軸ケーブル、１３９４ケーブル、またはＨＤＭＩケーブルを用いることができる。一実施例では、ネットワークオーディオ／ビデオインターフェース６５８は、接続６５６で同軸ケーブル上のＭＰＥＧ−２データ変調をサポートし、その変調はＨＤＴＶ放送のためのＡＴＳＣ標準と互換性を有する。このような実装により、どの標準ＨＤＴＶもそのような放送を受信し、復号化することが可能になる。
【００６６】
別の実施例では、ネットワークオーディオ／ビデオインターフェース６５８は、ストリーミングデータにより動作するよう設計され、典型的なイーサネット型規格よりもデータ指向性が低いことがある。そのような一例は、ＣＡＴ５の配線で１３９４プロトコルを用いる１３９４Ｃである。ＵＴＰケーブルおよび同軸ケーブルで動作するＤＶＩおよびＨＤＭＩと類似のプロトコルを走らせる他の試みをサポートすることもできる。別の実施は、イーサネットのＵＤＰ伝送スキームを用いることができ、パケット送信のハンドシェイク方式の簡便法および高速管理を含むが、その簡便法は、エラーがある場合、パケットを再送信する必要がある。これは、完全なＴＣＰ／ＩＰプロトコルのオーバーヘッドを省いたＴＣＰ／ＩＰ手法の利点を有し、有線または無線ＩＰネットワークへ応用することができる。
【００６７】
図６の実施の形態では、携帯型テレビ１５８またはリモコン３１０は、アンテナ６６４、ＲＦ ＸＭＩＴ／ＲＣＶＲ６４０、および通信プロセッサ６３６を経由して、メディア入力サブシステムプロセッサ５１２へ無線周波操作情報を無線で送信できるという利点がある。それに応じて、メディア入力サブシステム５１２は、マスターコントローラとして動作して、マルチルームテレビジョンシステム１１０の各種のコンポーネントおよび機能性を制御するために、無線で受信した無線周波の操作情報を利用する。メディア入力サブシステム５１２は、受信したＲＦ操作情報を任意の適切な方法で使用することができる。例えば、メディア入力サブシステム５１２は、制御バス５１６を利用して有線接続するか、または経路６４２および赤外線送信器／受信器（ＩＲ ＸＭＩＴ／ＲＣＶＲ）６４４を介して制御情報を送信するかの何れかで、適切なシステムコンポーネントを制御してよい。付加モードでは、メディア入力サブシステム５１２は、通信プロセッサ６３６と、ＬＡＮ６５０上の他の装置がユニバーサルプラグアンドプレイ（ＵＰｎＰ）プロトコルに準拠する、ＬＡＮインターフェース６５２とを介して、システム１１０内の他の各種コンポーネントを制御できる。
【００６８】
本発明によれば、メディア入力サブシステム５１２は、ＩＲ ＸＭＩＴ／ＲＣＶＲ６４４およびＲＦ ＸＭＩＴ／ＲＣＶＲ６４０を利用して、遠隔場所で生成される全てのシステム制御信号を監視することもできる。次いで、メディア入力サブシステム５１２は、それに応じて、対応するシステムコンポーネントの状態情報を維持して、マルチルームテレビジョンシステム１１０におけるシステムのインテリジェント制御の相互作用を支援する。例えば、番組ソース１１２から離れた場所で視聴しているシステムユーザが、衛星サービスプロバイダからリモートＴＶ１５２に関する番組ガイド情報を見たいと望むかもしれない。メディア入力サブシステム５１２は、番組ソースへの適切な信号を生成して、番組ガイド情報を利用可能にすることができ、次いで、ビデオ番組ソース単体かまたは合成するかのどちらか所望のフォーマットで、番組ガイド情報をリモートＴＶ１５２へ送信できる。別の実施の形態では、リモートＴＶ１５２の一部としてＩＲ入力２４６を実装することができる。ＩＲコマンドは、他方のインターフェース２２０の制御により解釈され、ＬＡＮ２４２、ＲＦ２４０、または別の接続を経由してメディア入力サブシステムプロセッサ５１２へ送られる。
【００６９】
本発明によれば、メディア入力サブシステム５１２は、制御バス５１６を用いて、マルチルームテレビジョンシステム１１０全体を通じて互換性のあるコンポーネントと通信することもできる。図６の実施の形態では、任意の互換性のある構成および／またはプロトコルを用いて、制御バス５１６を実装できる。例えば、制御バス５１６は、制御バス標準に基づいて効果的に実装でき、デジタルリビングネットワークアライアンス（ＤＬＮＡ）、またはホームオーディオビデオホーム相互接続（ＨＡＶＩ）標準に準拠する、各種の信号化プロトコルおよび技法を利用することもできる。
【００７０】
ここで図７を参照して、ビデオフレームから図６の通信プロセッサ６３６までの、変換処理７１０について説明するデータフロー図を示す。第１ステップは、サブバンド符号化を経由してマルチ解像度表現へ分解されるビデオデータの各成分に対するものである。輝度成分Ｙに対するクワッドツリー（４文木）型分解を、ブロック７１２に、第１色成分Ｕに対するものをブロック７１４に、第２色成分Ｖに対するものをブロック７１６に示す。クワッドツリー型分解は、４つのサブバンドに各成分を分割するが、第１サブバンドは符号７１８ｈ、７１８ｄ、および７１８ｖで表され、ここで「ｈ」、「ｄ」、「ｖ」は、それぞれ「水平」、「対角」、「垂直」を表す。第２サブバンドは、水平および垂直方向ともに第１サブバンドの解像度の半分であり、符号７２０ｈ、７２０ｄ、および７２０ｖで表される。第３サブバンドは、符号７２２ｈ、７２２ｄ、および７２２ｖで表され、第４サブバンドは、ボックス７２４で表される。
【００７１】
前方誤り訂正（ＦＥＣ）は、送信されるビットストリームのエラー回復力を改良するための例示の一方法である。ＦＥＣは、ベースビットに情報の付加冗長ビットを加える処理を含み、それにより、幾つかのビットが欠落するかまたは改竄された場合、フレームの完全な表示またはほぼ完全に近い表示を復号化システムにより再構築できる。ＦＥＣステップ中に付加される冗長情報のビット数を増加させるにつれて、ビットストリームは、エラーに対する保護および回復力をさらに強める。ウエーブレット符号化ビデオの場合、ビデオフレームの最小解像度サブバンドが大部分の画像エネルギーを有するので、このサブバンドをフレーム解像度が高い方のサブバンドよりもＦＥＣ冗長ビットを増加させることにより、保護することができる。
【００７２】
各成分に対する異なるサブバンドは、経路７０２を経由して符号化ステップへ渡される。符号化ステップは、第１サブバンド７３６、第２サブバンド７３４、第３サブバンド７３２、および第４サブバンド７３０上で実行されるＦＥＣで符号化することにより、各サブバンドについて実行される。実行する符号化の形式に応じて、符号化処理の前に、またはその処理の一部としてデータに適用される他の各種ステップがある。これらのステップには、サブバンド間のフィルタ処理または差異化が含まれる。サブバンド間の差異を符号化するのは、ある種の圧縮ステップの一つである。典型的な画像では、画像エネルギーの大部分はその画像の解像度の低い表現に存在する。他のバンドは、画像の品質を高めるために用いられる高い周波数の細部表現を含む。サブバンドそれぞれに対する符号化ステップは、サブ画像内に含まれる視覚的な細部表現の量に最も適した方法およびビットレートを用いる。
【００７３】
他の縮尺可能な符号化技法を用いて、異なる送信特性を有する様々な通信チャンネルを横断して、各種画像のサブバンドを送信できる技法もある。この技法を用いて、優先度の高いソースのサブバンドを、より高い品質の送信チャンネルに合致させることができる。ベースのビデオ層ほど保護を強くし、上位層は保護を弱めるかまたは全く保護しないで送信する場合、このソース型符号化を用いることができる。この技法は、エラーの隠蔽に対して良好な総合性能をもたらすことがあり、画像品質の上品な性能劣化を可能にする。送信エラーの高い回復力を得るために、別のエラー回復エントロピー符号化（ＥＲＥＣ）の技法を用いてもよい。
【００７４】
符号化の形式およびＦＥＣの強度は、サブ画像の視覚的細部表現に依存するのに加え、送信チャンネルエラー特性にも依存する。送信チャンネルフィードバック７４０は、通信プロセッサ７４４へ送られ、次いで、その情報が経路７４２を経由してサブバンド符号化ブロックそれぞれへフィードバックされる。サブバンド符号器はそれぞれ、符号化したサブ画像情報を通信プロセッサ７４４へ送信する。次いで、通信プロセッサ７４４は、圧縮ストリームを経路７５０を経由して目標の送信サブシステムへ送信する。
【００７５】
先に説明した２Ｄサブバンド符号化への拡張として、３Ｄサブバンド符号化を用いてもよい。３Ｄサブバンド符号化では、サブサンプリングしたコンポーネントビデオ信号は、低い空間解像度および時間解像度の成分から、高い周波数の細部表現を有する成分まで広がるビデオ成分へ分解される。これらの成分は、成分それぞれに含まれる画像エネルギーを維持するのに適切な方法を用いて、独立して符号化される。圧縮についても同様に、各種成分を量子化し、量子化した値のエントロピー符号化により、独立して実行される。復号化ステップは、各種の画像成分を回復させ、合成することにより、適切なビデオ画像の再構築ができる。ビデオ画像の心理的視覚特性は、ビデオの符号化および復号化を通じて維持される。より洗練された、動き符号化技法、画像合成、またはオブジェクト型符号化を適用するようなアドバンスト３Ｄ法も、所与のビットレートに対して画像品質を改良し、あるいは所与の品質に対してビットレートを減少させる方法である。
【００７６】
送信プロトコルに対する最適化を追加することもできる。例えば、ある形式のシステムでは、エラーが発生した場合に再送信されるパケットが存在することがあり、エラーが発生しても再送信されないパケットが存在することもある。同様に、パケットの再送信が必要かどうかを決定するよう設定できる様々なエラーレート閾値が存在する。フレームの異なるサブバンドに関するパケット送信プロトコルと併せて、ＦＥＣアロケーションを管理することにより送信処理を最適化して、復号化したビデオが、可能な最高品質を確保できるようにする。例えば、イーサネットネットワークは、ＵＤＰ、ハンドシェイクを有するＵＤＰ、およびＴＣＰ／ＩＰ送信の様々な形式を用いて、パケットに適切に優先順位を付け、必要な場合のみ再送信するよう保証できる。幾つかの送信プロトコルは、独立して管理されるか、または符号化ステップと組み合わされる追加のチャンネル符号化を有する。
【００７７】
特に、サブバンド符号化をＵＷＢプロトコルと組み合せるシステムレベルの最適化も可能である。一実施の形態では、大部分の画像エネルギーを有するサブバンドは、メディアアクセスコントロール（ＭＡＣ）プロトコルに対する、より高い優先度のハード予約方式を利用する。さらに、より高い画像エネルギーサブバンドに対して、より広い範囲を有するのが典型的なＵＷＢスペクトルの低次バンドグループを用いることができる。この場合、携帯型テレビがＵＷＢの高次バンドグループの範囲外にあったとしても、受信器は、依然としてＵＷＢの低次バンドグループを受信するはずであり、元のビデオの中庸な、または低い解像度の表現を表示できるはずである。
【００７８】
次に図８を参照して、本発明の一実施の形態に基づく、マルチルーム送信手順を実行するための方法ステップのフロー図を示す。図８の実施の形態では、ステップ８１０において、マルチルームテレビジョンシステム１１０は、まず、一つ以上の番組ソース１１２をデジタル基地ステーション１５６へ提供する。ステップ８１２では、一つ以上の番組ソース１１２がデータ、ビデオ、またはオーディオの各情報の何らかの組み合わせを含むかどうかに応じて、入力ストリームプロセッサ５３０が各種番組ソース１１２を区別する。図８のフロー図は、アナログ入力のデジタルへの変換を特に示していないが、別の実施の形態では、これらのステップを含むことができる。
【００７９】
番組ソース１１２がデータを含む場合、ステップ８２４で、ＤＤＲＭプロセッサ５５２が、デジタルデータを適切なフォーマットへフォーマット変換し、ステップ８２６で処理する。このデータ処理は、番組ガイド情報に関連付けるか、または放送で用いるＤＲＭスキームに関連付けることができる。番組ソース１１２がオーディオデータを含む場合、ステップ８２０でオーディオデータはフォーマット変換され、ステップ８２２で、オーディオデータはオーディオプロセッサ５３４により処理される。
【００８０】
番組ソース１１２がビデオを含む場合、ステップ８１４でビデオプロセッサ５３８は、ビデオを適切にフォーマット変換し、次いで、ステップ８１６でビデオを処理する。ビデオをフォーマット変換するステップ８１４、およびビデオを処理するステップ８１６は、解凍、圧縮、符号化変換、レート変換、および画像処理の各種組み合わせを含むことができる。次いで、ビデオフレームは、ステップ８２６からのデータ、またはステップ８１４およびステップ８１６で生成されるデータ、の何れかと合成して、グラフィック情報を含むこともできる出力ビデオストリームを生成でき、表示／オーバーレイプロセッサ５４８で処理してから圧縮する。ステップ８１８は、出力ストリームプロセッサ５２４を経由して、データ、ビデオおよびオーディオを、合成された出力ストリームへさらに組み合わせる。ステップ８２８は、通信プロセッサ６３６を経由してネットワーク処理を実行する。
【００８１】
マルチルームＴＶシステム１１０は、ステップ８３０で、ネットワーク送信を監視した後、最終的に出力経路の一つへネットワーク送信する機能のためのステップ８３２へ、出力ストリームを提供する。ネットワークを監視するステップ８３０を用いて、ビデオを処理するためのステップ８１６、およびネットワーク処理を実行するためのステップ８２８へ、ネットワーク情報をフィードバックすることができる。経路８３４を経由するこのフィードバックは、送信チャンネルの特性へビデオ出力ストリームを最高に合致させるよう、ビデオプロセッサ５３８が実行するビデオ処理の種類を適応させるのに有用である。送信チャンネルへビデオ符号化を適合させるこのような実施例の一つは、図７と併せて先に説明したマルチバンドウエーブレット符号化である。さらに、通信プロセッサ６３６は、ネットワーク監視ステップ８３０からの送信チャンネル情報を用いて、データに実行される送信処理の種類を修正することができる。
【００８２】
ここで図９を参照して、本発明の一実施の形態による、ネットワーク受信手順を実行するための方法ステップのフロー図を示す。簡単にするために、無線ネットワークを経由してデータを受信するリモートＴＶ１５８を基準として、図２のネットワーク受信手順を説明する。但し、有線ネットワークを越えてリモートＴＶ１５２、リモコン３１０、補助基地ステーション４１０、または任意の他の互換受信装置に至るネットワーク受信も同様に、本発明と併せて用いるよう想定している。
【００８３】
図９の実施の形態では、最初にステップ９１２で、リモートＴＶ１５８が、デジタル基地ステーション１５６からローカルコンポジットストリームを受信する。次に、ステップ９１４で、ＲＦ受信器２１４が無線ネットワーク処理手順を実行してベースバンドストリームを生成するか、または図２の他の入力の一つがネットワーク送信を受信する。上記無線ネットワーク処理手順は、デジタル基地ステーション１５６から伝搬されるローカルコンポジットストリームの復調またはダウンコンバート（低い周波数へ変換）のような、各種の適切な技法を含むことができる。同軸受信器２１６およびＬＡＮプロセッサ２１８を含む他のネットワーク入力処理ブロックは、適切なネットワーク受信を実行する。
【００８４】
ステップ９１６で、リモートＴＶ１５８は、ベースバンドストリームを受信し、データ、ビデオ、およびオーディオ情報を別々に含む分離成分にデマルチプレックスする。ベースバンドストリームがデータ情報を含む場合、ステップ９１８で、オーディオおよびデータの復号器２５６によるデマックス（デマルチプレクス）が、データ情報を適切なフォーマットに操作して、操作済みデータを生成し、図９の処理はステップ９２２に進む。同様に、ベースバンドストリームがビデオ情報を含む場合、ステップ９２０でアドバンスト復号器２５４が、ビデオ情報を解凍して、解凍ビデオを生成し、図９の処理はステップ９２２へ進む。
【００８５】
さらに、ベースバンドストリームがオーディオ情報を含む場合、ステップ９２６で、オーディオおよびデータの復号器２５６によるデマックスは、最初にオーディオ情報を解凍して、解凍オーディオを生成し、次いで、ステップ９２８でそれを用いてオーディオ出力を再生する。
【００８６】
ステップ９２２で、表示プロセッサ２２４は、操作済みデータ（ステップ９１８）および解凍ビデオ（ステップ９２０）にアクセスし、オプションのローカルグラフィカルユーザーインターフェース（ＧＵＩ）処理手順を実行して、リモートＴＶ１５８上で表示するための表示データおよび表示ビデオを生成することができる。オプションのローカルＧＵＩ処理の例は、番組ソース１１２にではなく、ローカルのリモートＴＶ１５８へ独自に適用する音量、色合い、または他の設定機能のためにオンスクリーン表示を用いるオプションである。最後にステップ９２４で、表示プロセッサ２２４は、マルチルームテレビジョンシステム１１０のユーザが見る表示データおよび表示ビデオを、リモートＴＶのスクリーン２１２へ提供する。
【００８７】
一実施の形態では、ローカルのＧＵＩ機能と番組ソース関連機能との重要な区別が行われる。マルチルームテレビジョンシステム１１０のユーザは、メディア入力サブシステムプロセッサ５１２の一部であるグラフィックプロセッサ５４６の操作により、ＴＶスクリーン２１２上のユーザーインターフェースに影響を与える。番組ソース１１２を選択し、オンスクリーン表示ナビゲーションを実行する場合、グラフィックプロセッサ５４６および表示／オーバーレイプロセッサ５４８は、ビデオ情報とオンスクリーン表示情報とを合成してから圧縮５４２機能を実行する。この方法では、ステップ８３２で生成され、送信されるネットワークストリームは、表示準備完了ビデオを既に含むので、アドバンスト復号器２５４が解凍ビデオステップ９２０を実行すると、表示情報は、ＧＵＩ処理を行うローカルステップ９２２がなくても、表示プロセッサ２２４に対する準備を既に完了している。ステップ９２２のローカルＧＵＩ処理は、表示プロセッサ２２４により、表示装置に対してローカルに実行される。
【００８８】
従って本発明は、広範な用途でユーザが効果的に利用できるフレキシブルなマルチルームテレビジョンシステムを実施する。例えば、ビデオカメラ装置は、デジタル基地ステーション１５６が、監視カメラやモニタ、または送信を受信し、接続された記憶装置にその送信を格納できるように、リモートＴＶ１５８に対する無線送信を生成できる。
【００８９】
さらに、視聴者は、家庭用コンピュータからの情報を表示するために（例えば、料理しながら個人的なレシピ集を見る等）、様々なユーザプロファイルを表示するために（例えば、特定ユーザの好みのテレビチャンネル等）、またはリモートＴＶ１５８を他の目的で使用していない時に、「ピクチャーフレーム」モード（写真モード）で画像を次々に見るために、マルチルームテレビジョンシステム１１０を柔軟に利用できる、従って、本発明は、多様で、かつ異種のコンポーネントを利用して、最適なシステム相互操作性および機能性を支援する柔軟なマルチルームテレビジョンシステム１１０を効果的に実施する。さらに、インターネットのユーザは、番組選択を操作でき、デジタル基地ステーション１５６を遠隔地から操作しながら、番組ソースの何れかを視聴でき、従って、マルチルームからマルチロケーションまで本システムを拡張できる。
【００９０】
好適な実施の形態をもとに、本発明を上記に説明してきた。他の実施の形態は、本開示からすれば当該技術に精通する者には明らかである。例えば、本発明は、上記の好適な実施の形態で説明したもの以外の構成を用いて直ちに実施できる。さらに、本発明は、好適な実施の形態として上記説明のもの以外のシステムと併せて用いると効果的である。従って、好適な実施の形態へのこれらおよび他の変形は、付帯の請求範囲によってのみ限定される本発明の範囲に含まれるよう、意図されている。
【図面の簡単な説明】
【００９１】
【図１】本発明によるマルチルームテレビジョンシステムの一実施の形態のためのブロック図である。
【図２】本発明による図１のクライアントテレビの一実施の形態のためのブロック図である。
【図３】本発明の一実施の形態による、図１のマルチルームテレビジョンシステムで用いるための遠隔操作装置（リモコン）の図である。
【図４】本発明の一実施の形態による、図１のマルチルームテレビジョンシステムで用いるための補助基地ステーションのブロック図である。
【図５】本発明の一実施の形態による、図１のデジタル基地ステーションからのメディア入力システムのブロック図である。
【図６】本発明の一実施の形態による、例示のデジタル基地ステーションのブロック図である。
【図７】本発明の一実施の形態による、サブバンド符号化ビデオが特定の処理ステップを通じて進行する様子を示すデータフロー図である。
【図８】本発明の一実施の形態による、ローカルのコンポジット化および送信手順を実行するための方法ステップのフロー図である。
【図９】本発明の一実施の形態による、リモートＴＶのローカル受信手順を実行するための方法ステップのフロー図である。
【図１】
0005635731.tif 000002
【図２】
0005635731.tif 000003
【図３】
0005635731.tif 000004
【図４】
0005635731.tif 000005
【図５】
0005635731.tif 000006
【図６】
0005635731.tif 000007
【図７】
0005635731.tif 000008
【図８】
0005635731.tif 000009
【図９】
0005635731.tif 000010